(57)【要約】【課題】より正確なタイムサーチを実現する光ディスク装置を提供することである。【解決手段】指定された時間から再生するタイムサーチ機能を備えたＤＶＤ再生装置（光ディスク装置）１０において、システムマイコン１８は、タイムサーチの指定時間が入力されると、前記指定時間を含むＶＯＢＵをＶＴＳ＿ＴＭＡＰＴを用いて算出し、前記指定時間を含むＶＯＢＵの先頭から装置１０内での再生を開始させ、再生フレームが前記指定時間に対応するフレームに一致したときから映像・音声の出力を開始させるように制御する。【選択図】図６
2009104737.tif 000002
【特許請求の範囲】
【請求項１】
指定された時間から再生するタイムサーチ機能を備えた光ディスク装置において、
制御部は、
タイムサーチの指定時間が入力されると、
前記指定時間を含むＶＯＢＵの先頭から装置内での再生を開始させ、
再生位置の時間が前記指定時間に一致したときから映像・音声の出力を開始させることを特徴とする光ディスク装置。
【請求項２】
再生位置の時間が前記指定時間に一致したときとは、再生フレームが前記指定時間に対応するフレームに一致したときであることを特徴とする請求項１記載の光ディスク装置。
【請求項３】
前記指定時間を含むＶＯＢＵは、ＶＴＳ＿ＴＭＡＰＴを用いて算出することを特徴とする請求項１又は２記載の光ディスク装置。
【請求項４】
映像・音声の出力を開始させると同時に、前記指定時間と同じ時間である再生経過時間を示すＯＳＤを出力させ、随時時間を更新させることを特徴とする請求項１〜３の何れかに記載の光ディスク装置。
【発明の詳細な説明】
【技術分野】
【０００１】
本発明は、指定された時間から再生するタイムサーチ機能を備えた光ディスク装置に関する。
【背景技術】
【０００２】
近年、映像や音声を録画・再生するビデオ装置としては、一般に光ディスク装置が用いられることが多い。光ディスク装置の記録媒体としては、ＤＶＤ（Digital Versatile Disc）や最近ではＢＤ（Blu-ray Disc）、ＨＤ  ＤＶＤ（High Definition DVD）がある。そして、光ディスクの特徴の１つに、所望の箇所から素早く再生できるというのがある。これには様々な手法が提案されている。
【０００３】
例えば、特許文献１には、現在時刻を含む時間範囲内に再生される複数のデータユニットのアドレスを記録しているテーブルを各データユニット毎に具備する情報再生装置および情報再生方法において、再生速度に応じて飛び越し再生するデータユニットの数を求め、テーブル内の前記求められた数に応じたアドレスが有効か無効かを判定し、アドレスが有効の場合、当該有効アドレスに基づいて再生し、アドレスが無効の場合、当該無効アドレスのデータユニットの再生時刻より現在時刻に近い時刻に再生されるデータユニットのアドレスの中の有効なアドレスに基づいて再生することが開示されている。
【０００４】
特許文献２には、ユーザデータエリアに記録された動画や静止画を含むビデオデータに関する管理情報を管理エリアに記録したディスクから記録情報を読み取る読取手段と、この読取手段で読み取られた管理情報を受けて、前記ビデオデータのタイトル情報を取得し、各タイトルを構成するセル情報における先頭ビデオオブジェクトユニットのアドレスデータから、前記ビデオデータに静止画情報が含まれているか否かを判別する判別手段と、前記静止画情報が含まれていると、前記管理情報から当該静止画情報の再生位置時間の情報を取得し、かつ、表示手段を制御して表示画面に各静止画情報のタイトル番号およびその切換位置の時間を表示させる制御手段とを備えたディスクの静止画切換位置検索装置が開示されている。
【０００５】
特許文献３には、復調された復調信号からシステムバッファにより分離されるＤＳＩデータの中に含まれるＶＯＢユニットサーチ情報中の、アングルブロック再生又はパレンタルブロック再生において実際に再生すべき映像情報を示すアドレス情報に基づき、システムコントローラが再生制御を行う記録装置が開示されている。
【０００６】
特許文献４には、再生位置が時間により指定されると、ＰＧＣＩに含まれる各セルの再生時間を記したＣ＿ＰＢＴＭを読み出し、各Ｃ＿ＰＢＴＭを順次加算しながら指定時間と比較して指定時間を含んだセルを検出し、指定時間と該指定時間を含んだセルの先頭時間との差を求め、求めた差を０．５で除して求めた値に１を加えた値を仮のＶＯＢＵ番号とし、該セルに含まれる各ＶＯＢＵの再生時間を記したＣ＿ＥＬＴＭを読み出し、求めた仮のＶＯＢＵ番号までのＣ＿ＥＬＴＭを加算して総経過時間を求め、該総経過時間に前後のＶＯＢＵ番号に応じたＣ＿ＥＬＴＭを加減算しながら指定時間と比較して指定時間と一致するＶＯＢＵを検出し、検出したＶＯＢＵの先頭アドレスから再生するＤＶＤ再生装置が開示されている。
【０００７】
特許文献５には、タイムサーチ要求があると、解析されたサーチ時間に基づいてサーチ先アドレスが決定され、検定されたサーチ先アドレスのナビゲーションパックが取得され、取得されたナビゲーションパックにビデオデータがなかった場合には、前記取得されたナビゲーションパックに含まれるデータサーチ情報からビデオデータを持つ前段ビデオオブジェクトユニットの先頭アドレスが取得され、取得された先頭アドレスのデータを読み込みナビゲーションパックに含まれるデータサーチ情報のジェネラル情報に基づいてビデオデータのみが取得され、オーディオデータに対応する静止画が出画される光ディスク再生装置が開示されている。
【特許文献１】特開２００６−２０２４０２号公報
【特許文献２】特開２００７−８０３２９号公報
【特許文献３】特開２００５−３４６９１１号公報
【特許文献４】特開２００４−２１３７２８号公報
【特許文献５】特開２００６−６６０２５号公報
【発明の開示】
【発明が解決しようとする課題】
【０００８】
上記の特許文献１〜５をはじめとして従来の光ディスク装置においてタイムサーチを行う場合、サーチ先の時間を含むＶＯＢＵ（ビデオオブジェクトユニット）の先頭から再生されていた。なぜなら、ＶＯＢＵ単位でしか再生できないからである。そのため、サーチ先の時間がＶＯＢＵの後ろの方にある場合、指定した時間よりも最大０．５秒程度前の位置から再生が開始されることになる。
【０００９】
例えば、指定したサーチ先の時間が１ｈ００ｍ００ｓ００ｆ（１時間０分０秒０フレーム）である場合、その時間を含むＶＯＢＵの先頭が０ｈ５９ｍ５９ｓ１７ｆであったとすると、そこから再生される。このとき、再生経過時間がＯＳＤ表示されていれば、ＯＳＤ表示は１ｈ００ｍ００ｓの状態で再生が開始され、１ｈ００ｍ０１ｓ００ｆの再生位置になったときにＯＳＤ表示を１ｈ００ｍ０１ｓに更新するように処理していた。つまり、１ｈ００ｍ００ｓのＯＳＤ表示が１ｈ００ｍ０１ｓに更新されるまで実際には１秒以上となっていた。
【００１０】
このように、従来は、ＯＳＤ表示をごまかすような処理によって指定時間と実際の再生開始時間との誤差を埋めていた。したがって、正確なタイムサーチが実現されているわけではなかった。
【００１１】
本発明は、より正確なタイムサーチを実現する光ディスク装置を提供することを目的とする。
【課題を解決するための手段】
【００１２】
上記目的を達成するために本発明は、指定された時間から再生するタイムサーチ機能を備えた光ディスク装置において、制御部は、タイムサーチの指定時間が入力されると、前記指定時間を含むＶＯＢＵの先頭から装置内での再生を開始させ、再生位置の時間が前記指定時間に一致したときから映像・音声の出力を開始させることを特徴とする。
【００１３】
ここで、装置内での再生とは、少なくとも光ディスクから映像・音声データを読み出すことであり、デコードまで行っていてもよい。
【００１４】
この構成によると、指定時間から正確に映像・音声を出力することができる。
【００１５】
上記の光ディスク装置において、再生位置の時間が前記指定時間に一致したときとは、再生フレームが前記指定時間に対応するフレームに一致したときであることが望ましい。
【００１６】
この構成によると、指定時間に正確に一致したフレームから映像・音声を出力することができる。
【００１７】
また上記の光ディスク装置において、前記指定時間を含むＶＯＢＵは、ＶＴＳ＿ＴＭＡＰＴを用いれば容易に算出することができる。
【００１８】
また上記の光ディスク装置において、映像・音声の出力を開始させると同時に、前記指定時間と同じ時間である再生経過時間を示すＯＳＤを出力させ、随時時間を更新させることが望ましい。
【００１９】
この構成によると、ユーザは指定時間から正確に映像・音声が表示されていることを目視で確認することができる。
【発明の効果】
【００２０】
本発明によれば、タイムサーチの制御において、指定時間を含むＶＯＢＵの先頭から装置内での再生を開始させ、再生位置の時間が指定時間に一致したときから映像・音声の出力を開始させることにより、従来のようにＯＳＤ表示をごまかすような処理によって指定時間と実際の再生開始時間との誤差を埋めることなく、正確な指定時間から映像・音声を出力することができるので、より正確なタイムサーチを実現することができる。その結果、使用感が向上し、ユーザの満足度を向上させることができる。
【発明を実施するための最良の形態】
【００２１】
以下に本発明の実施形態について、光ディスクとしてＤＶＤを例に説明する。図１は、ＤＶＤに記録される情報の階層構造を説明する図である。ＤＶＤに形成されたデータ記録エリアは、図１に示すような構造を有している。この構造の論理フォーマットは、例えば標準規格の１つであるＩＳＯ９６６０及びユニバーサルディスクフォーマット（ＵＤＦ）ブリッジに準拠して定められている。
【００２２】
リードインエリアからリードアウトエリアまでの間のデータ記録エリアは、ボリュームスペースとして割り当てられる。このボリュームスペースは、ボリューム及びファイル構造の情報のための空間（ボリューム／ファイル構造）と、ＤＶＤ規格のアプリケーションのための空間（ＤＶＤビデオ領域）と、この規格のアプリケーション以外のための空間（他記録エリア）を含むことができる。
【００２３】
ボリュームスペースは、多数のセクタに物理的に分割され、それらの物理的セクタには連続番号が付されている。このボリュームスペースに記録されるデータの論理アドレスはＩＳＯ９６６０及びＵＤＦブリッジで定められるように、論理セクタ番号を意味している。
【００２４】
ボリューム／ファイル構造領域はＩＳＯ９６６０及びＵＦＤブリッジに定められる管理領域に相当する。この領域の記述に基づいて、ＶＭＧ（ビデオマネージャ）の内容が後述するＤＶＤ再生装置内部のシステムマイコンに格納される。ＶＭＧにはＶＴＳ（ビデオタイトルセット）を管理する情報が記述されている。
【００２５】
ＶＴＳは、ＶＴＳＩ（ビデオタイトルセット情報）、ＶＴＳＭ＿ＶＯＢＳ（ビデオタイトルセットメニュー用ビデオオブジェクトセット）、ＶＴＳＴＴ＿ＶＯＢＳ（ビデオタイトルセットタイトル用ビデオオブジェクトセット）、ＶＴＳＩ＿ＢＵＰ（ビデオタイトルセット情報のバックアップ）を含んでいる。
【００２６】
ＶＴＳＴＴ＿ＶＯＢＳには、各ＶＯＢ（ビデオオブジェクト）に含まれるＣｅｌｌ（セル）のＩＤ番号が記述されている。またＶＴＳＩには、ＰＧＣＩ（プログラムチェイン情報）が記録されている。
【００２７】
他の記録エリアには、上述したＶＴＳで利用可能な情報、或いはＶＴＳとは関係のない他の情報を記録することができる。なお、このエリアは必須ではない。
【００２８】
図２は、ＰＧＣＩの構成を説明する図である。ＰＧＣＩは複数のＰＧＣ（プログラムチェイン）により構成され、各ＰＧＣには、そのＰＧＣを構成するＣｅｌｌの番号が記録されている。またＰＧＣＩには、ＰＧＣ＿ＰＢ＿ＴＭ（プログラムチェインプレイバックタイム）と、Ｃ＿ＰＢＴＭ（セルプレイバックタイム）の時間情報がタイムコードで記録されている。ＰＧＣ＿ＰＢ＿ＴＭは、そのＰＧＣに含まれる一連のＣｅｌｌを再生するのに要する総再生時間をタイムコードで表記したものであり、Ｃ＿ＰＢＴＭは、ＰＧＣに含まれる各Ｃｅｌｌの再生時間をタイムコードで表記したものである。
【００２９】
図３は、ＶＴＳＴＴ＿ＶＯＢＳに含まれる情報の階層構造を説明する図である。ＶＯＢＳ（ビデオオブジェクトセット）は、複数（図３ではｉ個）のＶＯＢにより構成される。また、ＶＯＢは複数（図３ではｊ個）のＣｅｌｌにより構成されている。なお、図中のＶＯＢ＿ＩＤＮｋはＶＯＢのＩＤ番号を示し、Ｃ＿ＩＤＮｋはＣｅｌｌのＩＤ番号を示す。
【００３０】
Ｃｅｌｌは、複数のＶＯＢＵ（ビデオオブジェクトユニット）により構成されている。そして、ＶＯＢＵは、ＮＶ＿ＰＣＫ（ナビゲーションパック）、Ａ＿ＰＣＫ（オーディオパック）、Ｖ＿ＰＣＫ（ビデオパック）、ＳＰ＿ＰＣＫ（サブピクチャパック）により構成されている。図３に示すように、ＮＶ＿ＰＣＫは各ＶＯＢＵの先頭にだけ配置されている。
【００３１】
Ａ＿ＰＣＫにはオーディオデータが、Ｖ＿ＰＣＫにはビデオデータが、ＳＰ＿ＰＣＫには字幕データが、個別に圧縮・符号化され記録されている。Ｖ＿ＰＣＫのビデオデータは複数のピクチャからなる。ピクチャは１枚の画像であり、１枚のピクチャが１フレームを構成する。なお、再生は３０フレーム／秒で行われる。
【００３２】
ＮＶ＿ＰＣＫには、通常再生や特殊再生といった処理を円滑に行うための付加情報が記録されており、この中に、少なくとも３つの時間情報が記録されている。１つは、ＶＯＢＵ＿Ｓ＿ＰＴＭ（ビデオオブジェクトユニットプレゼンテーションスタートタイム）であり、もう１つは、ＶＯＢＵ＿Ｅ＿ＰＴＭ（ビデオオブジェクトユニットプレゼンテーションエンドタイム）である。これらはそれぞれ対応するＶＯＢＵの再生開始時間と再生終了時間をタイムスタンプで表記したものである。他の１つは、Ｃ＿ＥＬＴＭ（セルエラプスタイム）であり、対応するＶＯＢＵの、それを含むＣｅｌｌの先頭からの再生経過時間をタイムコードで表記したものである。
【００３３】
図１に戻り、リードインエリアについて説明する。リードインエリアは、エンボスデータエリアと管理情報エリアとを含んでいる。エンボスデータエリアには、レイヤ情報として１層又は２層の種別、ディスクタイプ、ディスクサイズ、記録密度、記録開始・終了位置を示す物理セクタ番号等のディスク全体に関する情報、その他１枚ずつの製造に関する情報が事前に記録されている。
【００３４】
また管理情報エリアには、メインデータに関した管理情報が記録される。メインデータがビデオデータの場合は、ＶＴＳ＿ＴＭＡＰＴ（ビデオタイトルセットタイムマップテーブル）が管理情報として生成される。そして、このＶＴＳ＿ＴＭＡＰＴには、タイトルからの先頭アドレスであるＶＴＳ＿ＴＭＡＰＴ＿ＳＡ（ビデオタイトルセットタイムマップテーブル先頭アドレス）が記述される。
【００３５】
図４は、ＶＴＳ＿ＴＭＡＰＴのデータ記録例を示す図である。ビデオデータの各タイトルは、ＴＭＵ（タイムマップユニット）、ＲＥＳＥＲＶＥＤ（予約）、ＭＡＰ＿ＥＮ＿Ｎｓ（マップエントリ番号）、ＭＡＰ＿ＥＮＴ（マップエントリのテーブル）により構成されている。ここで、ＴＭＵは秒単位となっており、ＭＡＰ＿ＥＮ＿Ｎｓの時間間隔を示し、バイト数は１である。ＲＥＳＥＲＶＥＤは、バイト数が１であり、ＭＡＰ＿ＥＮ＿Ｎｓは、バイト数が２となっている。また、ＭＡＰ＿ＥＮＴについては、バイト数が４×ＭＡＰ＿ＥＮ＿Ｎｓとなる。なお、ＭＡＰ＿ＥＮＴは各マップエントリ先のＶＯＢＵを示している。
【００３６】
図５は、ＴＭＵの一例である。図５において、ＰＧＣの先頭位置におけるＭＡＰ＿ＥＮ＿Ｎｓは「０」であり、再生時間も「０」を基準点としている。ここで、ＴＭＵを例えば２秒間隔とした場合、ＭＡＰ＿ＥＮ＿Ｎｓは２の整数倍となり、最大２０４８まで設定可能である。そして、再生時間情報は、ＭＡＰ＿ＥＮ＿Ｎｓに対応しているから、ＭＡＰ＿ＥＮ＿Ｎｓが１では２秒、ＭＡＰ＿ＥＮ＿Ｎｓが２では４秒、ＭＡＰ＿ＥＮ＿Ｎｓが４では６秒・・・のように記録される。
【００３７】
よって、ＭＡＰ＿ＥＮ＿Ｎｓの位置を示すアドレス情報は時間データに変換することができる。つまり、アドレス情報を取得すると、その位置の時間を知ることができる。また逆に、時間データからアドレス情報に変換することもできる。つまり、タイムサーチなどで指定時間が入力されると、その時間の位置を知ることができる。
【００３８】
次に、光ディスク装置の一例としてＤＶＤ再生装置を用いて説明する。図６は、ＤＶＤ再生装置１０の構成を示すブロック図である。ＤＶＤ再生装置１０は、ピックアップ１１と、ＲＦアンプ１２と、モータ１４と、サーボ回路１４と、信号処理回路１５と、トラックバッファ１６と、システムデコーダ１７と、システムマイコン（制御部）１８と、表示部１９とを備えている。
【００３９】
ピックアップ１１は、所定波長のレーザ光をディスクｄの記録面に向けて照射し、その反射光を受けて電気信号（反射光検出信号）に変換する。またピックアップ１１は、この反射光検出信号をＲＦアンプ１２に供給する。なお、ピックアップ１１は、ディスクｄから対象のデータを適宜読み出すことができるように、所定のガイド軸等により、ディスクｄの径方向に移動自在に支持されている。
【００４０】
ＲＦアンプ１２は、ピックアップ１１より供給された反射光検出信号からＲＦ信号、トラッキング信号、及びフォーカス信号等を生成する。更に、ＲＦ信号をデータスライスした二値化信号を生成する。ＲＦアンプ１２は、生成したトラッキング信号等をサーボ回路１４に供給し、また、生成した二値化信号を再生信号として信号処理回路１５に供給する。
【００４１】
モータ１３は、ディスクｄを搭載する所定のターンテーブルを回転させるためのスピンドルモータ等からなる。モータ１３は、サーボ回路１４により制御され、ディスクｄを例えば線速度が一定となるように回転駆動させる。
【００４２】
サーボ回路１４は、モータ１３を駆動制御し、所定の回転速度で回転駆動させる。また、サーボ回路１４は、ＲＦアンプ１２から供給されるトラッキング信号等によりスレッドモータ（不図示）を駆動制御し、ピックアップ１１をディスクｄの径方向に適宜移動させる。
【００４３】
信号処理回路１５は、ＲＦアンプ１２から供給される再生信号を復調し、そして、誤り訂正等を行う。信号処理回路１５は、この復調等により得られた復調データをトラックバッファ１６に順次供給する。
【００４４】
トラックバッファ１６は、所定容量のＲＡＭ等からなり、信号処理回路１５から供給された復調データを順次記憶する。なお、トラックバッファ１６に記憶された復調データは、システムデコーダ１７へ逐次供給される。
【００４５】
システムデコーダ１７は、トラックバッファ１６から供給される復調データをデコードし、映像データ及び音声データ等を生成する。システムデコーダ１７は、生成した映像データ及び音声データ等を所定のＡＶアンプ等に供給する。
【００４６】
システムマイコン１８は、例えば、ＲＯＭ、ＲＡＭ、及びＣＰＵを備えた１チップマイコン等からなり、ＤＶＤ再生装置１０全体を制御する。システムマイコン１８は、サーボ回路１４等を制御して、ディスクｄに予め記録されたＰＧＣＩを取得し、自己のＲＡＭ等に記憶する。そして、記憶したＰＧＣＩに従った対象Ｃｅｌｌの読み出しを行うＰＧＣ動作を実行する。
【００４７】
具体的に、システムマイコン１８は、ＰＧＣ動作を実行する際に、Ｃｅｌｌを構成する上述のＶＯＢＵの再生管理情報であるＮＶ＿ＰＣＫを取得し、このＮＶ＿ＰＣＫに従って対象データ（ＶＯＢＵ）をディスクｄから再生する。即ち、システムマイコン１８は、ＮＶ＿ＰＣＫを取得すると、読み出し対象となる対象データのアドレスを設定し、サーボ回路１４等を制御して、設定したアドレスの対象データをサーチする。そして、サーチした対象データをディスクｄから読み出し、信号制御回路１５を制御して、読み出した対象データ（再生信号）の復調及び誤り訂正等を行い、復調データをトラックバッファ１６に格納する。システムマイコン１８は、これらアドレス設定、サーチ、読み出し、復調・誤り訂正、データ格納等からなる一連の動作をトラックバッファ１６の空き容量等に応じて繰り返し行う。
【００４８】
またこれらの動作と並行して、システムマイコン１８は、システムデコーダ１７を制御してトラックバッファ１６に格納されている復調データをデコードし、映像データ及び音声データ等を順次再生する。
【００４９】
表示部１９は、ＬＣＤ（Liquid Crystal Display）パネル等からなり、ＤＶＤ再生装置１０の動作状況等を表示する。
【００５０】
次に、ＤＶＤ再生装置１０の動作について説明する。図７は、ＤＶＤ再生装置１０におけるタイムサーチ時の動作の一例を示すフローチャートである。ユーザによりタイムサーチの指定時間が入力される、つまり再生位置が時間指定されると、ステップＳ１０において、システムマイコン１８は、ＶＴＳ＿ＴＭＡＰＴを用いて指定時間を含むＶＯＢＵを算出する。具体的には指定時間をＴＭＵで割ってＭＡＰ＿ＥＮ＿Ｎｓを求め、それに対応するＶＯＢＵの先頭アドレスを取得すればよい。
【００５１】
続いてステップＳ１１へ進んで、システムマイコン１８は、そのＶＯＢＵの先頭から装置１０内での再生を開始させる。装置１０内での再生とは、少なくともＤＶＤから映像・音声データを読み出すことであり、デコードまで行っていてもよい。つまり、映像及び音声をシステムデコーダ１７までで止めておき、出力はしない状態をいう。なお、出力しない映像及び音声は逐次捨てられる。
【００５２】
続いてステップＳ１２へ進んで、システムマイコン１８は、装置１０内で再生している再生位置の時間が指定時間に一致したか否かを判別する。これは、再生を開始したＶＯＢＵの先頭の時間に１フレーム毎の経過時間を加算していき、それが指定時間と一致するどうかを判別すればよい。１フレームは１／３０秒であるので、いくつ後のフレームが指定時間に一致するかは簡単に計算することができる。
【００５３】
そしてステップＳ１３へ進んで、システムマイコン１８は、指定時間に一致したフレームが再生されるときからそのフレームとそれに対応する音声とを出力させる。つまり、システムデコーダ１７から出力を開始する。再生経過時間をＯＳＤ表示する場合は、映像・音声の出力が開始されると同時に、指定時間と同じ時間を出力して随時時間を更新していけばよい。
【００５４】
例えば、指定時間が１ｈ００ｍ００ｓ００ｆ（１時間０分０秒０フレーム）であり、その指定時間を含むＶＯＢＵの先頭が０ｈ５９ｍ５９ｓ１７ｆであったとすると、０ｈ５９ｍ５９ｓ１７ｆから装置１０内で再生が開始され、１ｈ００ｍ００ｓ００ｆの再生位置になったときに映像・音声の出力が開始される。再生経過時間をＯＳＤ表示する場合は、映像・音声の出力が開始されると同時に、１ｈ００ｍ００ｓのＯＳＤが出力される。
【００５５】
このように、タイムサーチの制御において、指定時間を含むＶＯＢＵの先頭から装置１０内での再生を開始させ、再生位置の時間が指定時間に一致したときから映像・音声の出力を開始させることにより、従来ＶＯＢＵ単位でタイムサーチしていたものを、最小単位であるフレーム単位でタイムサーチすることができる。
【００５６】
したがって、従来のようにＯＳＤ表示をごまかすような処理によって指定時間と実際の再生開始時間との誤差を埋めることなく、正確な指定時間から映像・音声を出力することができるので、より正確なタイムサーチを実現することができる。その結果、使用感が向上し、ユーザの満足度を向上させることができる。
【産業上の利用可能性】
【００５７】
本発明は、ＤＶＤ、ＢＤ、ＨＤ  ＤＶＤなどの光ディスクを記録媒体とする光ディスク装置に利用することができる。
【図面の簡単な説明】
【００５８】
【図１】ＤＶＤに記録される情報の階層構造を説明する図である。
【図２】ＰＧＣＩの構成を説明する図である。
【図３】ＶＴＳＴＴ＿ＶＯＢＳに含まれる情報の階層構造を説明する図である。
【図４】ＶＴＳ＿ＴＭＡＰＴのデータ記録例を示す図である。
【図５】ＴＭＵの一例である。
【図６】本発明のＤＶＤ再生装置の構成を示すブロック図である。
【図７】本発明のＤＶＤ再生装置におけるタイムサーチ時の動作の一例を示すフローチャートである。
【符号の説明】
【００５９】
１０    ＤＶＤ再生装置（光ディスク装置）
１８    システムマイコン（制御部）
【図１】
2009104737.tif 000003
【図２】
2009104737.tif 000004
【図３】
2009104737.tif 000005
【図４】
2009104737.tif 000006
【図５】
2009104737.tif 000007
【図６】
2009104737.tif 000008
【図７】
2009104737.tif 000009